(57)【要約】【課題】本発明は、選択した設定対象を視覚的に容易に確認できる車両用操作入力装置および該方法を提供する。【解決手段】本発明は、車両に搭載され、複数の動作モードで所定の機能を奏する機器に対する入力を行う車両用操作入力装置Ｄであって、表示部１と、表示部１の表示面における第１位置と対応付けられた操作面を持ち、前記操作面における、入力操作された第２位置を検出する入力位置検出部２と、表示部１を制御する表示制御部３２と、入力位置検出部２で検出した第２位置に対応する第１位置に表示されている表示内容を、入力内容として取得する入力内容取得部３３とを備え、表示制御部３２は、設定対象を表す設定対象表示を表示内容として表示し、入力内容取得部３３で入力内容として設定対象を取得した場合に、この取得した設定対象を表す設定対象表示の周りに、設定される動作モードを表す複数のモード選択表示を表示内容として表示する。【選択図】図１
2020175819.tif 000002
【特許請求の範囲】
【請求項１】
車両に搭載され、互いに異なる複数の動作モードで所定の機能を奏する機器に対する入力を行う車両用操作入力装置であって、
表示部と、
前記表示部の表示面における第１位置と対応付けられた操作面を持ち、前記操作面における、入力操作された第２位置を検出する入力位置検出部と、
前記表示部を制御する表示制御部と、
前記入力位置検出部で検出した第２位置に対応する第１位置に表示されている表示内容を、入力内容として取得する入力内容取得部とを備え、
前記表示制御部は、設定対象を表す設定対象表示を前記表示内容として前記表示面の第１位置に表示し、前記入力内容取得部で前記入力内容として前記設定対象を取得した場合に、前記取得した設定対象を表す設定対象表示の周りに、前記複数の動作モードそれぞれに対応し、設定される動作モードを表す複数のモード選択表示を前記表示内容として前記表示面に表示する、
車両用操作入力装置。
【請求項２】
前記表示制御部は、前記入力内容取得部で前記入力内容として前記設定対象を取得した場合に、前記設定対象表示および前記モード選択表示を除く他の表示を、前記入力内容取得部で前記入力内容として前記設定対象を取得する前における第１表示態様から、前記第１表示態様と異なる第２表示態様に変更する、
請求項１に記載の車両用操作入力装置。
【請求項３】
前記設定対象表示は、円形または多角形であり、前記複数のモード選択表示は、前記設定対象表示の外周側に周方向に沿って順に並置される、
請求項１または請求項２に記載の車両用操作入力装置。
【請求項４】
前記表示制御部は、前記入力内容取得部で前記入力内容として前記設定対象を取得する前において、前記複数のモード選択表示を前記表示部に表示しない、
請求項１ないし請求項３のいずれか１項に記載の車両用操作入力装置。
【請求項５】
前記複数のモード選択表示は、互いに隣接して配置され、互いに共通な動作を含む第１および第２動作モードを表す２個の第１および第２モード選択表示を含む、
請求項１ないし請求項４のいずれか１項に記載の車両用操作入力装置。
【請求項６】
前記機器は、複数の吹き出し口を備え、前記複数の吹き出し口のうち、前記動作モードに応じた吹き出し口から送風する空調装置である、
請求項１ないし請求項５のいずれか１項に記載の車両用操作入力装置。
【請求項７】
車両に搭載され、互いに異なる複数の動作モードで所定の機能を奏する機器に対する入力を行う車両用操作入力方法であって、
所定の表示内容を表示する表示工程と、
入力操作された表示面上での位置を検出する入力位置検出工程と、
前記位置入力検出工程で検出した位置に表示されている表示内容を、前記入力内容として取得する入力内容取得工程とを備え、
前記表示工程は、設定対象を表す設定対象表示を前記表示内容として表示し、前記入力内容取得工程で前記入力内容として前記設定対象を取得した場合に、前記取得した設定対象を表す設定対象表示の周りに、前記複数の動作モードそれぞれに対応し、設定される動作モードを表す複数のモード選択表示を前記表示内容として表示する、
車両用操作入力方法。
【発明の詳細な説明】
【技術分野】
【０００１】
本発明は、車両に搭載された機器（ハードウェアおよびソフトウェアを含む）の入力内容を入力する車両用操作入力装置および車両用操作入力方法に関する。
【背景技術】
【０００２】
例えば自動車や鉄道車両等の車両には、所定の機能を持つ様々な機器（ハードウェアおよびソフトウェアを含む）が搭載されている。前記機器を所望の動作で稼働させるために、ユーザから、設定対象の選定や前記選定された設定対象に対する設定値の入力等の入力操作を受け付ける車両用操作入力装置が前記車両には、備え付けられている。このような車両用操作入力装置は、例えば特許文献１に開示されている。
【０００３】
この特許文献１に開示された車載情報処理装置は、空調装置の設定可能な設定項目、及び前記設定項目ごとに定められた選択項目が記憶された記憶部と、前記設定項目及び前記選択項目を表示し、入力操作を受け付ける入出力装置と、前記入力操作に基づいて第１のユーザ操作及び第２のユーザ操作を検出する入力検出部と、前記設定項目及び前記選択項目を前記入出力装置に表示させ、前記第１のユーザ操作及び前記第２のユーザ操作が実行された際に前記空調装置を制御する表示制御部と、を備え、前記表示制御部は、前記第１のユーザ操作が検出されたときに、複数の前記設定項目のうちの一つを選択状態とし、前記第２のユーザ操作が検出されたときに、複数の前記選択項目のうちの一つを選択状態とするとともに、選択された前記選択項目により変化する前記空調装置から車室内へ送風される空気の状態を前記入出力装置にアニメーションで表示する。
【先行技術文献】
【特許文献】
【０００４】
【特許文献１】特開２０１７−４９７８８号公報
【発明の概要】
【発明が解決しようとする課題】
【０００５】
ところで、前記特許文献１に開示された車載情報処理装置は、空調装置に関する設定項目を表示部に一覧で表示し、その設定項目に設定可能な選択項目を表示するため、１つの入出力装置の画面で空調装置の設定項目全体を容易に把握することができる。しかしながら、前記特許文献１に開示された車載情報処理装置は、空調装置に関する設定項目を表示部に一覧で表示し、その設定項目に設定可能な選択項目を表示するため、誤って設定項目を選択しても気付かない虞がある。
【０００６】
本発明は、上述の事情に鑑みて為された発明であり、その目的は、選択した設定対象を視覚的に容易に確認できる車両用操作入力装置および車両用操作入力方法を提供することである。
【課題を解決するための手段】
【０００７】
本発明者は、種々検討した結果、上記目的は、以下の本発明により達成されることを見出した。すなわち、本発明の一態様にかかる車両用操作入力装置は、車両に搭載され、互いに異なる複数の動作モードで所定の機能を奏する機器に対する入力を行う装置であって、表示部と、前記表示部の表示面における第１位置と対応付けられた操作面を持ち、前記操作面における、入力操作された第２位置を検出する入力位置検出部と、前記表示部を制御する表示制御部と、前記入力位置検出部で検出した第２位置に対応する第１位置に表示されている表示内容を、入力内容として取得する入力内容取得部とを備え、前記表示制御部は、設定対象を表す設定対象表示を前記表示内容として前記表示面の第１位置に表示し、前記入力内容取得部で前記入力内容として前記設定対象を取得した場合に、前記取得した設定対象を表す設定対象表示の周りに、前記複数の動作モードそれぞれに対応し、設定される動作モードを表す複数のモード選択表示を前記表示内容として前記表示面に表示する。好ましくは、上述の車両用操作入力装置において、前記操作面は、前記表示面上に配置されている。好ましくは、上述の車両用操作入力装置において、前記表示制御部は、前記入力内容取得部で前記入力内容として前記設定対象を取得する前において、前記設定対象表示の周りに、前記複数の動作モードそれぞれに対応し、現在、設定されている動作モードを表す複数の設定モード表示を前記表示内容として前記表示部に表示する。好ましくは、上述の車両用操作入力装置において、前記表示制御部は、前記入力内容取得部で前記入力内容として前記複数の動作モードの中のいずれかの動作モードを取得した場合に、前記取得された動作モードのモード選択表示の第３表示態様と、前記取得された動作モードを除く他の動作モードのモード選択表示の第４表示態様とを互いに異ならせる。
【０００８】
このような車両用操作入力装置は、入力内容取得部で入力内容として設定対象を取得した場合に、前記取得した設定対象を表す設定対象表示の周りに、複数のモード選択表示を表示するので、選択した設定対象を視覚的に容易に確認できる。上記車両用操作入力装置は、設定対象表示に対する操作面での入力操作およびモード選択表示に対する操作面での入力操作を実行すれば、所望の設定対象に所望の動作モードを設定できるので、簡易な入力操作で設定を変更できる。
【０００９】
他の一態様では、上述の車両用操作入力装置において、前記表示制御部は、前記入力内容取得部で前記入力内容として前記設定対象を取得した場合に、前記設定対象表示および前記モード選択表示を除く他の表示を、前記入力内容取得部で前記入力内容として前記設定対象を取得する前における第１表示態様から、前記第１表示態様と異なる第２表示態様に変更する。好ましくは、上述の車両用操作入力装置において、前記第１表示態様は、前記入力内容取得部で前記入力内容として前記設定対象を取得する前における前記設定対象表示の表示態様と同じ表示態様であり、前記第２表示態様は、ぼかし、または、グレーアウトである。
【００１０】
このような車両用操作入力装置は、入力内容取得部で入力内容として設定対象を取得した場合に、設定対象表示およびモード選択表示を除く他の表示を、前記取得前の第１表示態様から前記取得後の第２表示態様に変更するので、選択した設定対象を視覚的により容易に確認できる。
【００１１】
他の一態様では、これら上述の車両用操作入力装置において、前記設定対象表示は、円形または多角形であり、前記複数のモード選択表示は、前記設定対象表示の外周側に周方向に沿って順に並置される。
【００１２】
このような車両用操作入力装置は、複数のモード選択表示を設定対象表示の外周側に周方向に沿って順に並置して表示するので、設定対象表示に対する操作面での第２位置（設定対象表示位置）から、設定したい動作モードのモード選択表示に対する操作面での第２位置（レベル選択表示位置）までの、入力操作の移動が、より短い距離で可能となる。
【００１３】
他の一態様では、これら上述の車両用操作入力装置において、前記表示制御部は、前記入力内容取得部で前記入力内容として前記設定対象を取得する前において、前記複数のモード選択表示を前記表示部に表示しない。すなわち、上述の車両用操作入力装置において、前記表示制御部は、前記設定対象表示を前記表示部に表示し、前記設定対象表示に対する前記操作面での入力操作を待機している場合において、前記複数のモード選択表示を前記表示部に表示しない。
【００１４】
このような車両用操作入力装置は、入力内容取得部で入力内容として設定対象を取得する前において、複数のレベル選択表示を表示しないので、レベル選択表示に対する操作面での入力操作が誤って実行されることがない。
【００１５】
他の一態様では、これら上述の車両用操作入力装置において、前記複数のモード選択表示は、互いに隣接して配置され、互いに共通な動作を含む第１および第２動作モードを表す２個の第１および第２モード選択表示を含む。
【００１６】
このような車両用操作入力装置は、互いに共通な動作を含む第１および第２動作モードを表す２個の第１および第２モード選択表示を互いに隣接して配置するので、所望の動作モードを表すモード選択表示ではないモード選択表示を誤って入力操作した場合に、速やかに所望の動作モードを表すモード選択表示に対して入力操作できる可能性が高い。
【００１７】
他の一態様では、これら上述の車両用操作入力装置において、前記機器は、複数の吹き出し口を備え、前記複数の吹き出し口のうち、前記動作モードに応じた吹き出し口から送風する空調装置である。好ましくは、これら上述の車両用操作入力装置において、前記機器は、設定速度で自車両を走行させる第１動作モード、先行車両に追従するように自車両を走行させる第２動作モードおよび車線内を維持するように自車両を走行させる第３動作モードを含む複数の動作モードで自車両を走行させる自動走行装置である。ましくは、これら上述の車両用操作入力装置において、前記機器は、複数のウィンドウを備え、前記複数のウィンドウのうち、前記動作モードに応じたウィンドウを開閉するパワーウィンドウ装置である。
【００１８】
これによれば、選択した設定対象を視覚的に容易に確認できる空調装置用の車両用操作入力装置が提供できる。
【００１９】
本発明の他の一態様にかかる車両用操作入力方法は、車両に搭載され、互いに異なる複数の動作モードで所定の機能を奏する機器に対する入力を行う方法であって、所定の表示内容を表示する表示工程と、入力操作された表示面上での位置を検出する入力位置検出工程と、前記位置入力検出工程で検出した位置に表示されている表示内容を、前記入力内容として取得する入力内容取得工程とを備え、前記表示工程は、設定対象を表す設定対象表示を前記表示内容として表示し、前記入力内容取得工程で前記入力内容として前記設定対象を取得した場合に、前記取得した設定対象を表す設定対象表示の周りに、前記複数の動作モードそれぞれに対応し、設定される動作モードを表す複数のモード選択表示を前記表示内容として表示する。
【００２０】
このような車両用操作入力方法は、入力内容取得工程で入力内容として設定対象を取得した場合に、前記取得した設定対象を表す設定対象表示の周りに、複数のモード選択表示を表示するので、選択した設定対象を視覚的に容易に確認できる。上記車両用操作入力方法は、設定対象表示に対する操作面での入力操作およびモード選択表示に対する操作面での入力操作を実行すれば、所望の設定対象に所望の動作モードを設定できるので、簡易な入力操作で設定を変更できる。
【発明の効果】
【００２１】
本発明にかかる車両用操作入力装置および車両用操作入力方法は、選択した設定対象を視覚的に容易に確認できる。
【図面の簡単な説明】
【００２２】
【図１】実施形態における車両用操作入力装置の構成を説明するための図である。
【図２】一例として、図１に示す車両用操作入力装置における表示部および入力位置検出部の車両室内での配置を説明するための図である。
【図３】一例として、図１に示す車両用操作入力装置における表示部に表示される設定対象選択画面を示す図である。
【図４】一例として、図１に示す車両用操作入力装置における表示部に表示される入力操作前のモード選択画面を示す図である。
【図５】一例として、図１に示す車両用操作入力装置における表示部に表示される入力操作後のモード選択画面を示す図である。
【図６】図１に示す車両用操作入力装置の動作を示すフローチャートである。
【図７】設定対象表示の変形形態を示す図である。
【発明を実施するための形態】
【００２３】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２４】
実施形態における車両用操作入力装置は、例えば自動車や鉄道車両等の車両に搭載され、互いに異なる複数の動作モードで所定の機能を奏する機器（ハードウェアおよびソフトウェアを含む）に対する入力を行う装置である。この車両用操作入力装置は、表示を行う表示部と、前記表示部の表示面における第１位置と対応付けられた操作面を持ち、前記操作面における、入力操作された第２位置を検出する入力位置検出部と、前記表示部を制御する表示制御部と、前記入力位置検出部で検出した第２位置に対応する第１位置に表示されている表示内容を、入力内容として取得する入力内容取得部とを備える。そして、前記表示制御部は、設定対象を表す設定対象表示（Ｉｔｅｍ）を前記表示内容として前記表示部に表示し、前記入力内容取得部で前記入力内容として前記設定対象を取得した場合に、前記取得した設定対象を表す設定対象表示の周りに、前記複数の動作モードそれぞれに対応し、設定される動作モードを表す複数のモード選択表示を前記表示内容として前記表示部に表示する。このような車両用操作入力装置について、以下、より具体的に説明する。
【００２５】
図１は、実施形態における車両用操作入力装置の構成を説明するための図である。図１Ａは、実施形態における車両用操作入力装置の構成を示すブロック図であり、図１Ｂは、表示部の第１位置と入力位置検出部の第２位置との関係を説明するための図である。図２は、一例として、図１に示す車両用操作入力装置における表示部および入力位置検出部の車両室内での配置を説明するための図である。図３は、一例として、図１に示す車両用操作入力装置における表示部に表示される設定対象選択画面を示す図である。図４は、一例として、図１に示す車両用操作入力装置における表示部に表示される入力操作前のモード選択画面を示す図である。図５は、一例として、図１に示す車両用操作入力装置における表示部に表示される入力操作後のモード選択画面を示す図である。
【００２６】
実施形態における車両用操作入力装置Ｄは、例えば、図１Ａに示すように、表示部１と、入力位置検出部２と、制御処理部３と、記憶部４とを備え、１または複数の機器５、図１Ａに示す例では２個の第１および第２機器５−１、５−２それぞれに対する入力を行うための装置である。
【００２７】
第１および第２機器５−１、５−２は、それぞれ、例えば自動車や鉄道車両等の車両に搭載され、互いに異なる複数の動作モードで所定の機能を奏する装置（ハードウェアおよびソフトウェアを含む）である。機器５は、上述のような適宜な装置であって良く、例えば、機器５は、複数の吹き出し口を備え、前記複数の吹き出し口のうち、前記動作モードに応じた吹き出し口から送風する空調装置、設定速度で自車両を走行させる第１動作モード、先行車両に追従するように自車両を走行させる第２動作モードおよび車線内を維持するように自車両を走行させる第３動作モードを含む複数の動作モードで自車両を走行させる自動走行装置、および、複数のウィンドウを備え、前記複数のウィンドウのうち、前記動作モードに応じたウィンドウを開閉するパワーウィンドウ装置等である。これら第１および第２機器５−１、５−２は、制御処理部３に接続される。
【００２８】
表示部１は、制御処理部３に接続され、制御処理部３の制御に従って表示を行う装置である。表示部１は、例えば、液晶ディスプレイ（ＬＣＤ）および有機ＥＬディスプレイ等である。
【００２９】
入力位置検出部２は、制御処理部３に接続され、その操作面における、搭乗者等のユーザによって入力操作された位置（第２位置）を検出する装置であり、例えば抵抗膜方式や静電容量方式等の接触位置を検出して入力する位置入力装置等である。入力位置検出部２は、その検出した第２位置を制御処理部３へ出力する。前記操作面における第２位置は、表示部１の表示面における位置（第１位置）と予め対応付けられている。例えば、図１Ｂに示すように、表示部１の表示面ＤＰは、ｋ行ｌ列（ｋ×ｌ）で２次元アレイ状に配列された、所定の第１面積を持つ複数の画素１１−ｋｌを備えて構成され、入力位置検出部２の操作面ＳＰは、同様に、ｍ行ｎ列（ｍ×ｎ）で２次元アレイ状に配列された、所定の第２面積を持つ複数の検出領域（ドット）２１−ｍｎを備えて構成され、図１Ｂを平面視した場合に、操作面ＳＰにおける左上のドット２１−１１が表示面ＤＰにおける左上の画素１１−１１と対応付けられ、これらを基準に、操作面ＳＰにおける複数のドット２１−ｍｎそれぞれが表示面ＤＰにおける複数の画素１１−ｋｌそれぞれと対応付けられている（ｋ、ｌ、ｍ、ｎは、正の整数）。なお、図１Ｂでは、操作面ＳＰにおける左上のドット２１−１１および表示面ＤＰにおける左上の画素１１−１１が図示され、他のドット２１および他の画素１１の図示は、省略されている。また、表示面ＤＰを構成する複数の画素１１における第１空間分解能と、操作面ＳＰを構成する複数のドット２１における第２空間分解能とは、同一であって良く（第１面積＝第２面積）、あるいは、異なっても良い（第１面積≠第２面積）。第１および第２空間分解能が異なる場合、第１および第２位置とは、多対１または１対多で対応付けられる。
【００３０】
表示部１の表示面における第１位置（上述例では複数の画素１１それぞれの各第１位置）と、入力位置検出部２の操作面における第２位置（上述例では複数のドット２１それぞれの各第２位置）とが互いに対応付けられていれば、表示部１と入力位置検出部２とは、車両室内で別々の配設箇所に配設されて良いが、本実施形態では、前記操作面が前記表示面上に配置され、入力位置検出部２は、表示部１と一体化され、いわゆるタッチパネル（タッチスクリーン）を構成する。このような表示部１と入力位置検出部２とから構成されるタッチパネルＴＰ（１、２）は、例えば、図２に示すように、車両室内において、運転席と助手席とを隔てるセンターコンソールからダッシュボードへ延びる部材であって、側面視にて傾斜している前記部材の斜面に、操作面ＳＰおよび表示面ＤＰが外部に臨むように、配設されている。なお、図１Ｂでは、前記第１位置と第２位置との対応関係を説明する都合上、入力位置検出部２の操作面ＳＰは、表示部１の表示面ＤＰから離間して図示されている。
【００３１】
図１に戻って、記憶部４は、制御処理部３に接続され、制御処理部３の制御に従って各種の所定のプログラムおよび各種の所定のデータを記憶する回路である。前記各種の所定のプログラムには、例えば、車両用操作入力装置Ｄの各部１、２、４を当該各部の機能に応じてそれぞれ制御する制御プログラムや、表示部１を制御する表示制御プログラムや、入力位置検出部２で検出した操作面の第２位置に対応する表示面の第１位置に表示されている表示内容を、入力内容として取得する入力内容取得プログラムや、前記入力内容取得プログラムによって取得された動作モードで設定対象の機器５を処理する機器処理プログラム等の制御処理プログラムが含まれる。前記各種の所定のデータには、表示部１に表示する画面を表す画面情報、および、表示部１における表示面の第１位置と入力位置検出部２における操作面の第２位置との対応関係を表す対応関係情報等の、各プログラムを実行する上で必要なデータ等が含まれる。記憶部４は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、記憶部４は、前記所定のプログラムの実行中に生じるデータ等を記憶するいわゆる制御処理部３のワーキングメモリとなるＲＡＭ（Ｒａｎｄｏｍ  Ａｃｃｅｓｓ  Ｍｅｍｏｒｙ）等を含む。
【００３２】
制御処理部３は、車両用操作入力装置Ｄの各部１、２、４を当該各部の機能に応じてそれぞれ制御し、車両の搭載された所定の機器に対する入力内容の入力を受け付けるための回路である。制御処理部３は、例えば、ＣＰＵ（Ｃｅｎｔｒａｌ  Ｐｒｏｃｅｓｓｉｎｇ  Ｕｎｉｔ）およびその周辺回路を備えて構成される。制御処理部３は、前記制御処理プログラムが実行されることによって、制御部３１、表示制御部３２、入力内容取得部３３および機器処理部３４を機能的に備える。
【００３３】
制御部３１は、車両用操作入力装置Ｄの各部１、２、４を当該各部の機能に応じてそれぞれ制御し、車両用操作入力装置Ｄの全体制御を司るものである。
【００３４】
入力内容取得部３３は、入力位置検出部２で検出した操作面の第２位置に対応する表示面の第１位置に表示されている表示内容を、入力内容として取得するものである。入力内容取得部３３は、前記取得した入力内容を表示制御部３２および機器処理部３４それぞれへ通知する。
【００３５】
機器処理部３４は、入力内容取得部３３によって取得された動作モードで設定対象の機器５を処理するものである。例えば、機器５自体が制御機能を持つ場合には、機器処理部３４は、入力内容取得部３３によって取得された動作モードで設定対象の機器５を稼働させるために、入力内容取得部３３によって取得された動作モードを設定対象の機器５へ出力する。あるいは、例えば、機器５が制御機能を持たない場合には、機器処理部３４は、入力内容取得部３３によって取得された動作モードで稼働するように、設定対象の機器５を制御する。
【００３６】
表示制御部３２は、表示部１を制御するものである。
【００３７】
より具体的には、本実施形態では、表示制御部３２は、設定対象を表す設定対象表示（Ｉｔｅｍ）を前記表示内容として表示部１における表示面の第１位置に表示する。入力内容取得部３３で前記入力内容として前記設定対象を取得した場合に、表示制御部３２は、前記取得した設定対象を表す設定対象表示の周りに、前記複数の動作モードそれぞれに対応し、設定される動作モードを表す複数のモード選択表示を前記表示内容として表示部１の表示面に表示する。そして、この場合に、表示制御部３２は、前記設定対象表示および前記モード選択表示を除く他の表示を、入力内容取得部３３で前記入力内容として前記設定対象を取得する前における第１表示態様から、前記第１表示態様と異なる第２表示態様に変更する。
【００３８】
一方、入力内容取得部３３で前記入力内容として前記設定対象を取得する前において、表示制御部３２は、前記設定対象表示の周りに、前記複数の動作モードそれぞれに対応し、現在、設定されている動作モードを表す複数の設定モード表示を前記表示内容として表示部１に表示する。そして、これにおいて、表示制御部３２は、前記複数のモード選択表示を表示部１に表示しない。すなわち、表示制御部３２は、前記設定対象表示を表示部１に表示し、前記設定対象表示に対する前記操作面での入力操作を待機している場合において、前記複数のモード選択表示を表示部１に表示しない。
【００３９】
そして、表示制御部３２は、入力内容取得部３３で前記入力内容として前記複数の動作モードの中のいずれかの動作モードを取得した場合に、前記取得された動作モードのモード選択表示の第３表示態様と、前記取得された動作モードを除く他の動作モードのモード選択表示の第４表示態様とを互いに異ならせる。
【００４０】
一例では、記憶部４は、前記画面情報の１つとして、図３に示す設定対象選択画面２００ａを表す情報を記憶し、表示制御部３２は、記憶部４の画面情報を参照し、この設定対象選択画面２００ａを表示部１に表示する。設定対象選択画面２００ａは、設定対象を入力（選定）するための画面であり、設定対象を表す設定対象表示１０１、２０１を含む。図３に示す例では、設定対象選択画面２００ａは、空調装置の風量を前記設定対象として表す第１設定対象表示１０１と、前記空調装置の動作モード（前記空調装置の吹き出し口）を前記設定対象として表す第２設定対象表示２０１とを含む。これら第１および第２設定対象表示１０１、２０１は、それぞれ、円形であり、各円形内には、設定対象を象徴的に表す図記号を備えている。そして、図３に示す例では、設定対象選択画面２００ａは、現在、設定されている動作モードを表示する現在モード表示画面を兼ねている。この現在の動作モードを表示するために、設定対象選択画面２００ａは、第２設定対象表示２０１の周りに、前記複数の動作モードそれぞれに対応し、現在、設定されている動作モードを表す複数の設定モード表示２０２（２０２−１〜２０２−４）を備えている。より具体的には、複数の設定モード表示２０２は、円形の第２設定対象表示２０１の外周側に、円形の第２設定対象表示２０１と同心で、周方向に沿って一周するように順に並置（表示）されている。これら複数の設定モード表示２０２は、現在、設定されている動作モードを示す設定モード表示２０２の第５表示態様と、前記現在、設定されている動作モードを除く他の動作モード（すなわち、前記現在、設定されていない動作モード）を示す他（残余）の設定モード表示２０２の第６表示態様とを、互いに異ならせて表示されている。さらに、この図３に示す例では、第２設定対象表示２０１内に表示される前記図記号が、前記現在、設定されている動作モードに対応した図記号となっており、第２設定対象表示２０１内にも、現在の動作モードが表示される。この図３に示す例では、機器５の一例である空調装置は、４個の第１ないし第４動作モードを備える。第１動作モードは、足下に向けて送風する第１吹き出し口から、温度および風量を調整した空気（調整後空気）を吹き出す動作モードである。第２動作モードは、上半身に向けて送風する（座席の前方から送風する）第２吹き出し口および前記第１吹き出し口から、前記調整後空気を吹き出す動作モードである。第３動作モードは、前記第２吹き出し口から、前記調整後空気を吹き出す動作モードである。第４動作モードは、窓ガラスに向けて送風するデフロスタ用の第３吹き出し口および前記第１吹き出し口から、前記調整後空気を吹き出す動作モードである。これら４個の第１ないし第４動作モードに対応して、設定対象選択画面２００ａは、円弧状の４個の第１ないし第４設定モード表示２０２−１〜２０２−４を備えている。これら第１ないし第４設定モード表示２０２−１〜２０２−４それぞれは、現在、設定されている動作モードが第１ないし第４動作モードそれぞれであることを示すための表示である。現在、設定されている動作モードは、図３に示す例では第３動作モードであり、第３設定モード表示２０２−３は、前記第５表示態様として点灯（図３では白抜きで図示）で表示され、第１、第２および第４設定モード表示２０２−１、２０２−２、２０２−４は、前記第６表示態様として消灯（図３では黒塗りで図示）で表示されている。
【００４１】
記憶部４は、前記画面情報の他の１つとして、図４に示すモード選択画面（モード選択表示２０３を入力操作する前のモード選択画面）２００ｂを表す情報を記憶し、そして、このような設定対象選択画面２００ａを表示している表示部１に対し、ユーザが入力位置検出部２を介した第２設定対象表示２０１の表示位置で入力操作すると、表示制御部３２は、記憶部４の画面情報を参照し、このモード選択画面２００ｂを表示部１に表示する。モード選択画面２００ｂは、設定対象に対し、動作モードを入力（選定）するための画面であり、第１および第２設定対象表示１０１、２０１と、設定対象選択画面２００ａで取得した設定対象を表す第２設定対象表示２０１の周りに配置（表示）され、前記複数の動作モードそれぞれに対応し、設定される動作モードを表す複数のモード選択表示２０３（２０３−１〜２０３−４）とを含む。上述したように、図３に示す例では、空調装置は、互いに異なる４個の第１ないし第４動作モードを備えており、これに対応して、モード選択画面２００ｂは、円弧状の帯形の４個の第１ないし第４モード選択表示２０３−１〜２０３−４を備えている。より具体的には、これら複数のモード選択表示２０３は、円形の第２設定対象表示２０１の外周側に、円形の第２設定対象表示２０１と同心で、周方向に沿って一周するように順に並置（表示）されている。そして、図４に示す例では、第１ないし第４モード選択表示２０３−１〜２０３−４内には、それぞれ、当該モード選択表示２０３で表示される動作モードに対応した図記号が記載されている。
【００４２】
このモード選択画面２００ｂでは、図４に示すように、設定対象選択画面２００ａで取得した設定対象を表す第２設定対象表示２０１およびそのモード選択表示２０３は、第１表示態様で表示され、これら第２設定対象表示２０１およびモード選択表示２０３を除く他の表示、例えば第１設定対象表示１０１等は、前記第１表示態様と異なる第２表示態様で表示される。より具体的には、前記第１表示態様は、通常の表示態様、すなわち、入力内容取得部３３で前記入力内容として前記設定対象を取得する前における、図３に示す設定対象選択画面２００ａの第２設定対象表示２０１の表示態様と同じ表示態様であり、前記第２表示態様は、ぼかしである。なお、図４および図５では、作図の都合上、ほかしを点群のハッチで示している。また、前記第２表示態様は、前記ぼかしに代え、グレーアウトであっても良い。
【００４３】
また、このモード選択画面２００ｂも、現在、設定されている動作モードを表示する現在モード表示画面を兼ねている。この現在の動作モードを表示するために、現在、設定されている動作モードのモード選択表示２０３が第３表示態様で表示され、前記現在設定されている動作モードを除く他の動作モードのレベル選択表示１０３が前記第３表示態様と異なる第４表示態様で表示される。図４に示す例では、前記現在、設定されている動作モードは、第２動作モードであり、第２モード選択表示２０３−２は、前記第３表示態様として第１輝度レベル（図４ではクロスのハッチで図示）で表示され、残余の第１、第３および第４モード選択表示２０３−１、２０３−３、２０３−４は、前記第４表示態様として前記第１輝度レベルと異なる第２輝度レベル（図４では白抜きで図示）で表示される。さらに、このモード選択画面２００ｂでは、図４に示すように、上述の図３と同様に、第２設定対象表示２０１内に表示される前記図記号が、前記現在、設定されている動作モードに対応した図記号となっており、第２設定対象表示２０１内に、現在の動作モードが表示される。
【００４４】
そして、このモード選択画面２００ｂでは、前記複数のモード選択表示２０３は、互いに隣接して配置され、互いに共通な動作を含む第Ａおよび第Ｂ動作モードを表す２個の第Ａおよび第Ｂモード選択表示２０３を含む。より具体的には、図４に示す例では、第１動作モードに設定するための第１モード選択表示２０３−１、第２動作モードに設定するための第２モード選択表示２０３−２、第３動作モードに設定するための第３モード選択表示２０３−３、および、第４動作モードに設定するための第４モード選択表示２０３−４が第２設定対象選択表示２０１の外周側に周方向に沿って一周するように順に並置（表示）されている。これによって、互いに隣接する第１および第２モード選択表示２０３−１、２０３−２は、前記第１吹き出し口から調整後空気を吹き出す動作の点で共通し、互いに隣接する第２および第３モード選択表示２０３−２、２０３−３は、前記第２吹き出し口から調整後空気を吹き出す動作の点で共通し、互いに隣接する第４および第１モード選択表示２０３−４、２０３−１は、前記第１吹き出し口から調整後空気を吹き出す動作の点で共通する。
【００４５】
そして、このようモード選択画面２００ｂを表示している表示部１に対し、ユーザが入力位置検出部２を介した所望のモード選択表示２０３の表示位置で入力操作すると、図４に示すモード選択画面２００ｂは、図５に示すように、前記入力操作されて取得された動作モードのモード選択表示２０３を第３表示態様で表示し、前記入力操作されて取得された動作モードを除く他（残余）の動作モードのモード選択表示２０３を前記第３表示態様と異なる第４表示態様で表示するモード選択画面２００ｃに変更される。図５に示す例では、前記所望のモード選択表示２０３として、第１動作モードの第１モード選択表示２０３−１の表示位置でユーザによって入力操作されており、第１モード選択表示２０３−１は、前記第３表示態様として前記第１輝度レベル（図５ではクロスのハッチで図示）で表示され、残余の第２ないし第４モード選択表示２０３−２〜２０３−４は、前記第４表示態様として前記第２輝度レベル（図５では白抜きで図示）で表示される。
【００４６】
次に、本実施形態の動作について説明する。図６は、図１に示す車両用操作入力装置の動作を示すフローチャートである。
【００４７】
このような車両用操作入力装置Ｄは、車両が稼働を始めると、必要な各部の初期化を実行し、その稼働を始める。その制御処理プログラムの実行によって、制御処理部３には、制御部３１、表示制御部３２、入力内容取得部３３および機器処理部３４が機能的に構成される。そして、車両用操作入力装置Ｄは、制御処理部３の表示制御部３２によって、記憶部４の画面情報を参照し、例えば図３に示す設定対象選択画面２００ａを表示部１に表示する。
【００４８】
前記車両の稼働により、表示部１に設定対象選択画面２００ａを表示すると、図６において、車両用操作入力装置Ｄは、制御処理部３によって、入力操作されたか否かを判定する（Ｓ１）。この判定の結果、入力操作されている場合（Ｙｅｓ）には、制御処理部３は、次に、処理Ｓ２を実行し、一方、前記判定の結果、入力操作されていない場合（Ｎｏ）には、制御処理部３は、処理を処理Ｓ１に戻す。したがって、制御処理部３は、入力操作が有るまで処理Ｓ１を繰り返し実行する。
【００４９】
この処理Ｓ２において、車両用操作入力装置Ｄは、制御処理部３の入力内容取得部３３によって、入力操作の内容を判定する。より具体的には、入力内容取得部３３は、入力位置検出部２で検出した操作面の第２位置に対応する表示面の第１位置に表示されている表示内容を判定する。例えば、図３に示す設定対象選択画面２００ａを表示制御部３２によって表示部１に表示している際に、第２設定対象表示２０１を表示している表示面の第１位置に対応する操作面の第２位置が例えばユーザの手指で接触されることによって入力操作された場合、入力内容取得部３３は、第２設定対象表示２０１の入力操作と判定する。あるいは、例えば、図４に示すモード選択画面２００ｂを表示制御部３２によって表示部１に表示している際に、モード選択表示２０３を表示している表示面の第１位置に対応する操作面の第２位置が例えばユーザの手指で接触されることによって入力操作された場合には、入力内容取得部３３は、モード選択表示２０３の入力操作と判定する。一例では、第１モード選択表示２０３−１を表示している表示面の第１位置に対応する操作面の第２位置が入力操作された場合には、入力内容取得部３３は、第１モード選択表示２０３−１の入力操作と判定する。この判定の結果、入力内容取得部３３が第２設定対象表示２０１の入力操作と判定した場合（第２設定対象表示）には、車両用操作入力装置Ｄは、制御処理部３によって、次に、処理Ｓ１１および処理Ｓ１２を順次に実行し、処理Ｓ１２の判定結果に応じて処理Ｓ２または処理Ｓ１３を実行し、前記処理Ｓ１３を実行した場合に次に処理Ｓ３を実行する。前記判定の結果、入力内容取得部３３がモード選択表示２０３の入力操作と判定した場合（モード選択表示）には、車両用操作入力装置Ｄは、制御処理部３によって、次に、処理Ｓ２１および処理Ｓ２２を順次に実行した後に、処理Ｓ３を実行する。前記判定の結果、入力内容取得部３３が前記第２設定対象表示２０１および前記モード選択表示２０３を除くその他の入力操作と判定した場合（例えば第１設定対象表示１０１の入力操作と判定した場合）（その他）には、車両用操作入力装置Ｄは、制御処理部３によって、次に、入力操作の内容に応じた適宜な所定の処理を実行する処理Ｓ３１を実行した後に、処理Ｓ３を実行する。
【００５０】
前記処理Ｓ１１では、車両用操作入力装置Ｄは、まず、入力内容取得部３３によって、入力操作された第２設定対象表示２０１で表示されている設定対象を前記入力内容として取得し、記憶部４に記憶する。車両用操作入力装置Ｄは、制御処理部３の表示制御部３２によって、前記取得した設定対象を表す第２設定対象表示２０１の周りにモード選択表示２０３を表示し、前記取得した設定対象を表す第２設定対象表示２０１および前記モード選択表示２０３を除く他の表示を、第１表示態様から第２表示態様に変更する。そして、本実施形態では、現在、設定されている動作モードを表示するために、表示制御部３は、前記現在、設定されている動作モードのモード選択表示２０３−２を第３表示態様で表示し、残余のモード選択表示２０３を第４表示態様で表示し、第２設定対象表示２０１内に表示される前記図記号を、前記現在、設定されている動作モードに対応した図記号で表示する。これによって、例えば、図４に示すモード選択表示２０３に対する入力操作前のモード選択画面２００ｂが、表示部１に表示される。
【００５１】
前記処理Ｓ１１に続く処理Ｓ１２では、車両用操作入力装置Ｄは、制御処理部３によって、入力操作されたか否かを判定する。この判定の結果、入力操作されている場合（Ｙｅｓ）には、制御処理部３は、次に、処理Ｓ２を実行し、一方、前記判定の結果、入力操作されていない場合（Ｎｏ）には、制御処理部３は、次に、処理Ｓ１３を実行する。
【００５２】
この処理Ｓ１３では、車両用操作入力装置Ｄは、表示制御部３２によって、処理Ｓ１１でモード選択表示２０３を表示部１に表示した表示開始から、予め設定された所定の時間（例えば５秒や１０秒や２０秒等）が経過したか否かを判定する。この判定は、例えば、計時を行う計時部を制御処理部３にさらに機能的に備え、処理Ｓ１１を実行した時刻からの経過時間を参照することで実施できる。あるいは、例えば、前記判定は、処理Ｓ１１を実行した際に、前記所定の時間をセット（設定）したタイマーを制御処理部３にさらに機能的に生成し、前記タイマーがタイムアップしたか否かを判定することで実施できる。前記判定の結果、前記表示開始から前記所定の時間が経過していない場合（Ｎｏ）には、制御処理部３は、処理を処理Ｓ１２に戻す。一方、前記判定の結果、前記表示開始から前記所定の時間が経過している場合（Ｙｅｓ）には、制御処理部３は、次に、処理Ｓ３を実行する。したがって、前記処理Ｓ１１でモード選択画面２００ｂが表示部１に表示されると、モード選択表示２０３に対する入力操作が前記所定の時間だけ可能となる。
【００５３】
一方、前記処理Ｓ２１では、車両用操作入力装置Ｄは、まず、入力内容取得部３３によって、入力操作されたモード選択表示２０３で表示されている動作モードを前記入力内容として取得し、記憶部４に記憶する。そして、車両用操作入力装置Ｄは、表示制御部３２によって、前記入力操作された動作モードのモード選択表示２０３を、前記入力操作された動作モードを除く残余の動作モードのモード選択表示２０３の第４表示態様と異なる第３表示態様で表示する。例えば、ユーザがその手指を第２設定対象表示２０１を表示する表示面の第１位置に対応する操作面の第２位置（設定対象表示位置）から、第１モード選択表示２０３−１を表示する表示面の第１位置に対応する操作面の第２位置（モード選択表示位置）へ、移動することによって入力操作された場合、前記処理Ｓ１２および処理Ｓ２の実行によって、入力内容取得部３３は、第１モード選択表示２０３−１で表示されている第１動作モードを前記入力内容として取得し、記憶部４に記憶し、表示制御部３２は、第１モード選択表示２０３−１を第３表示態様で表示し、残余の第２ないし第４モード選択表示２０３−２〜２０３−４を第４表示態様で表示する。これによって、例えば、図５に示すモード選択表示２０３に対する入力操作後のモード選択画面２００ｃが、表示部１に表示される。なお、前記設定対象表示位置から前記モード選択表示位置への移動は、前記設定対象表示位置から前記モード選択表示位置まで操作面に前記手指を接触しながら行われて良く（いわゆるスワイプ（スライド）で行われて良く）、この場合では、入力内容取得部３３は、移動の終了位置を前記第２位置として検出する。あるいは、前記設定対象表示位置から前記モード選択表示位置への移動は、前記設定対象表示位置から前記手指を離して前記モード選択表示位置に前記手指を接触することで行われても良い（いわゆるタップで行われても良い）。
【００５４】
前記処理Ｓ２１に続く処理Ｓ２２では、車両用操作入力装置Ｄは、制御処理部３の機器処理部３４によって、記憶部４に記憶されている設定対象の機器５を、記憶部４に記憶されている動作モードで処理し、次に、処理Ｓ３を実行する。
【００５５】
前記処理Ｓ１３、前記処理Ｓ２２または前記処理Ｓ３１に続く処理Ｓ３では、車両用操作入力装置Ｄは、表示制御部３２によって、前記設定対象選択画面を表示部１に表示する。例えば、前記処理Ｓ１３に続く処理Ｓ３では、前記モード選択表示２０３に対する入力操作がユーザによって実施されず、前記処理Ｓ１１を実行する前の設定対象選択画面が表示部１に表示される。すなわち、表示部１の表示が前記処理Ｓ１１を実行する前の設定対象選択画面に復帰される。あるいは、前記処理Ｓ２２に続く処理Ｓ３では、記憶部４に記憶されている設定対象の機器５を、記憶部４に記憶されている動作モードで処理した後の設定対象選択画面が表示部１に表示される。このため、図３に示すような設定モード表示２０２を含む設定対象選択画面２００ａでは、前記処理Ｓ２２で実行された動作モードに対応する設定モード表示２０２は、前記第５表示態様として点灯で表示される。
【００５６】
そして、前記処理Ｓ３に続く処理Ｓ４では、車両用操作入力装置Ｄは、例えば車両の稼働をオンオフするスイッチの入力操作等によって、その稼働の終了が指示されているか否かを判定する。この判定の結果、前記稼働の終了が指示されている場合（Ｙｅｓ）では、車両用操作入力装置Ｄは、本処理を終了して稼働を終了し、一方、前記判定の結果、前記稼働の終了が指示されていない場合（Ｎｏ）では、車両用操作入力装置Ｄは、処理を処理Ｓ１に戻す。
【００５７】
以上説明したように、実施形態における車両用操作入力装置Ｄおよびこれに実装された車両用操作入力方法は、入力内容として設定対象を取得した場合に、前記取得した設定対象を表す第２設定対象表示２０１の周りに、複数のモード選択表示２０３を表示するので、選択した設定対象を視覚的に容易に確認できる。上記車両用操作入力装置Ｄおよび車両用操作入力方法は、第２設定対象表示２０１に対する操作面での入力操作およびモード選択表示２０３に対する操作面での入力操作を実行すれば、所望の設定対象に所望の動作モードを設定できるので、簡易な入力操作で設定を変更できる。
【００５８】
上記車両用操作入力装置Ｄおよび車両用操作入力方法は、入力内容として設定対象を取得した場合に、第２設定対象表示２０１およびモード選択表示２０３を除く他の表示を、前記取得前の第１表示態様から前記取得後の第２表示態様に変更するので、選択した設定対象を視覚的により容易に確認できる。
【００５９】
上記車両用操作入力装置Ｄおよび車両用操作入力方法は、複数のモード選択表示２０３を第２設定対象表示２０１の外周側に周方向に沿って順に並置して表示するので、第２設定対象表示２０１に対する操作面での第２位置（設定対象表示位置）から、設定したい動作モードのモード選択表示２０３に対する操作面での第２位置（モード選択表示位置）までの、入力操作の移動が、より短い距離で可能となる。
【００６０】
上記車両用操作入力装置Ｄおよび車両用操作入力方法は、前記入力内容として前記設定対象を取得する前において、例えば、図４に示すモード選択画面２００ｂが表示される前の、図３に示す設定対象選択画面２００ａにおいて、複数のモード選択表示２０３を表示しないので、モード選択表示２０３に対する操作面での入力操作が誤って実行されることがない。
【００６１】
上記車両用操作入力装置Ｄおよび車両用操作入力方法は、互いに共通な動作を含む第Ａおよび第Ｂ動作モードを表す２個の第Ａおよび第Ｂモード選択表示を互いに隣接して配置するので、所望の動作モードを表すモード選択表示２０３ではないモード選択表示２０３を誤って入力操作した場合に、速やかに所望の動作モードを表すモード選択表示２０３に対して入力操作できる可能性が高い。
【００６２】
なお、上述の実施形態では、機器５は、複数の吹き出し口を備え、前記複数の吹き出し口のうち、前記動作モードに応じた吹き出し口から送風する空調装置であり、これによれば、選択した設定対象を視覚的に容易に確認できる空調装置用の車両用操作入力装置Ｄが提供されるが、これに限定されるものではなく、適宜に変更できる。
【００６３】
例えば、前記機器５は、設定速度で自車両を走行させる第１動作モード、先行車両に追従するように自車両を走行させる第２動作モードおよび車線内を維持するように自車両を走行させる第３動作モードを含む複数の動作モードで自車両を走行させる自動走行装置であっても良い。これによれば、選択した設定対象を視覚的に容易に確認できる自動走行装置用の車両用操作入力装置Ｄが提供できる。
【００６４】
あるいは、例えば、前記機器５は、複数のウィンドウを備え、前記複数のウィンドウのうち、前記動作モードに応じたウィンドウを開閉するパワーウィンドウ装置であっても良い。前記動作モードは、例えば、運転席のウィンドウを開閉する第１動作モード、運転席に対する後席のウィンドウを開閉する第２動作モード、助手席のウィンドウを開閉する第３動作モード、助手席に対する後席のウィンドウを開閉する第４動作モード、および、全席の各ウィンドウを開閉する第５動作モードである。これによれば、選択した設定対象を視覚的に容易に確認できるパワーウィンドウ装置用の車両用操作入力装置が提供できる。
【００６５】
また、上述の実施形態では、第２設定対象表示２０１は、円形であったが、これに限定されるものではなく、適宜に変更できる。図７は、設定対象表示の変形形態を示す図である。図７Ａは、第１変形形態を示し、図７Ｂは、第２変形形態を示す。
【００６６】
例えば、第２設定対象表示２０１は、多角形（例えば正多角形）であっても良い。例えば、図７Ａに示すように、第２設定対象表示２０１ａは、正方形であっても良い。このような第２設定対象表示２０１ａでは、複数のモード選択表示２０３ａ（２０３ａ−１〜２０３ａ−４）は、それぞれ、円弧状の帯形であり、第２設定対象表示２０１ａの外周側に、前記正方形における対角線の交点を中心に、周方向に沿って順に並置（表示）されている。
【００６７】
あるいは、例えば、図７Ｂに示すように、第２設定対象表示２０１ｂは、正八角形であっても良い。このような第２設定対象表示２０１ｂでは、複数のモード選択表示２０３ｂ（２０３ｂ−１〜２０３ｂ−４）は、それぞれ、円弧状の帯形であり、第２設定対象表示２０１ｂの外周側に、前記正八角形における対角線の交点を中心に、周方向に沿って順に並置されている。
【００６８】
また、上述の実施形態では、入力位置検出部２は、操作面全面で入力位置を検出可能な装置であるが、設定対象表示１０１、１０１ａ〜１０１ｄおよびレベル選択表示１０３、１０３ａ〜１０３ｄを表示する表示面の各第１位置に対応する操作面の各第２位置で少なくとも入力位置を検出可能な装置であっても良い。
【００６９】
また、上述の実施形態では、入力操作が無い場合において、モード選択表示２０３の表示開始から所定の時間の経過後に、モード選択画面２００ｂから設定対象選択画面２００ａに復帰したが、これに代え、あるいは、これに追加して、モード選択画面２００ｂにおいて、モード選択表示２０３の表示位置での入力操作の有無に関わらず、ユーザが入力位置検出部２を介した第２設定対象表示２０１の表示位置で入力操作した場合に、車両用操作入力装置Ｄは、モード選択画面２００ｂから設定対象選択画面２００ａに復帰しても良い。
【００７０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００７１】
Ｄ  車両用操作入力装置
ＴＰ（１、２）  タッチパネル
ＤＰ  表示面
ＳＰ  操作面
１  表示部
２  入力位置検出部
３  制御処理部
４  記憶部
５−１  第１機器
５−２  第２機器
１１  画素
２１  ドット
３１  制御部
３２  表示制御部
３３  入力内容取得部
３４  機器処理部
２００ａ  設定対象選択画面
２００ｂ、２００ｃ  モード選択画面
２０１  第２設定対象表示
２０２（２０２−１〜２０２−４）  設定モード表示
２０３（２０３−１〜２０３−４）  モード選択表示
【図１】
2020175819.tif 000003
【図２】
2020175819.tif 000004
【図３】
2020175819.tif 000005
【図４】
2020175819.tif 000006
【図５】
2020175819.tif 000007
【図６】
2020175819.tif 000008
【図７】
2020175819.tif 000009